(57)【要約】【課題】冷却ファンを備えた投写型表示装置において、冷却ファンを構成する部品点数を減らし、コストの低減を図る。【解決手段】光を出射する光源と、光源より出射された光を用いて画像を形成する光学部品と、画像を投写する投写光学系と、光学部品を収容する光学部品用筐体４と、少なくとも光源、光学部品用筐体４及び投写光学系を収容する外装ケース１，２と、外装ケース１，２内の被冷却部を冷却する冷却ファンとを備えている。冷却ファンは、冷却ファン本体１３，１４とこの冷却ファン本体１３，１４を収容する冷却ファンカバー１０，１１とを含んでおり、冷却ファンカバー１０，１１の少なくとも一部は光学部品用筐体４と外装ケース１，２の少なくとも一方に一体化されている。【選択図】　　　　　図４
2004094100.tif 000002
【特許請求の範囲】
【請求項１】
光を出射する光源と、上記光源より出射された光を用いて画像を形成する光学部品と、上記画像を投写する投写光学系と、上記光学部品を収容する光学部品用筐体と、少なくとも上記光源、上記光学部品用筐体及び上記投写光学系を収容する外装ケースと、冷却ファン本体とこの冷却ファン本体を収容する冷却ファンカバーとを含み上記外装ケース内の被冷却部を冷却する冷却ファンとを備え、上記冷却ファンカバーの少なくとも一部が上記光学部品用筐体と上記外装ケースの少なくとも一方に一体化されていることを特徴とする投写型表示装置。
【請求項２】
光学部品はライトバルブを含み、被冷却部が上記ライトバルブであることを特徴とする請求項１記載の投写型表示装置。
【請求項３】
光を出射する光源と、上記光源より出射された光を用いて画像を形成する光学部品と、上記画像を投写する投写光学系と、上記光源あるいはその他の電気的デバイスを駆動する電源回路と、上記光源を収容する光源用筐体と、上記光学部品を収容する光学部品用筐体と、上記電源回路を収容する電源用筐体と、少なくとも上記光源用筐体、上記光学部品用筐体、上記投写光学系及び上記電源用筐体を収容する外装ケースと、冷却ファン本体とこの冷却ファン本体を収容する冷却ファンカバーとを含み上記外装ケース内の被冷却部を冷却する冷却ファンとを備え、上記冷却ファンカバーの少なくとも一部が、上記光源用筐体、上記光学部品用筐体、上記電源用筐体及び上記外装ケースのうちの少なくとも１つに一体化されていることを特徴とする投写型表示装置。
【請求項４】
冷却ファンを駆動するファン駆動回路が、光源あるいはその他の電気的デバイスを駆動する電源回路、所望の画像を表示するために必要な信号処理を行う信号処理回路のいずれかに組み込まれていることを特徴とする請求項１から請求項３のいずれかに記載の投写型表示装置。
【請求項５】
被冷却部の冷却のために必要な冷却ファンの動作点において、上記冷却ファンの比騒音がほぼ最小値となるように上記冷却ファンの形状寸法と回転数の設計がなされていることを特徴とする請求項１から請求項４のいずれかに記載の投写型表示装置。
【請求項６】
冷却ファンは、遠心ファンであることを特徴とする請求項１から請求項５のいずれかに記載の投写型表示装置。
【請求項７】
遠心ファンのファン翼直径Ｄ、ファン翼厚みＢ及びファン翼回転数Ｎが、それぞれ、下記式３〜式５から求められたものであることを特徴とする請求項６に記載の投写型表示装置。
【数１】
2004094100.tif 000019
【数２】
2004094100.tif 000020
【数３】
2004094100.tif 000021
（ここで、φ０及びψ０は、それぞれ、冷却ファンの無次元送風性能から求めた、比騒音が最小値になる流量係数及び圧力係数、Ｐ１及びＱ１は、それぞれ、被冷却部の冷却に必要な冷却風の圧力及び流量、ｎは予め定められたファン翼直径Ｄに対するファン翼厚みＢの比率、ｇは重力加速度、ρは空気の密度である。）
【発明の詳細な説明】
【０００１】
【発明の属する技術分野】
本発明は、投写型表示装置に関するものであり、特に冷却ファンを備えた投写型表示装置に関するものである。
【０００２】
【従来の技術】
例えばライトバルブとしてツイステッド・ネマティック液晶パネルを使用した投写型表示装置においては、耐熱性が低い液晶パネルの冷却が必要であり、例えば特許文献１、特許文献２などにその具体的な構造が開示されている。これらの先行技術において使用されている冷却ファンは、一般的にファンメーカーから市販されているものであり、製品筐体にネジ止めや嵌め合い構造などにより固定して用いられている。
冷却ファンは、ファン翼、駆動回路基板、モーター回転子、モーター固定子、回転軸とを備えた冷却ファン本体と、冷却ファン本体のほぼ全面を覆い冷却ファン本体を収容する冷却ファンケースとから構成される。
【０００３】
【特許文献１】
特開平１１−３５４９６３号公報
【特許文献２】
特開２００１−２８１６１３号公報
【０００４】
【発明が解決しようとする課題】
しかしながら、従来の投写型表示装置は、上述したような市販の冷却ファンを使っているため、冷却ファンはそれ単体として機能することのできるように、冷却ファン本体の周囲には、冷却ファン本体のほぼ全面を覆う冷却ファンケースが予め設けられているので、部品点数が多くなり、コストが高くなるという問題点があった。
【０００５】
また市販品を使用すると、装置を冷却するために必要な冷却ファンの動作点（風量、静圧）が、ファンのいわゆる比騒音が最小となる動作点からずれることが多く、ファン騒音が大きくなるという問題点があった。
【０００６】
この発明は、このような問題点を解決するためになされたものであり、冷却ファンを構成する部品点数を減らすことにより、装置コストを低減することを目的とするものである。また、冷却ファンの騒音を静音化することを目的とするものである。
【０００７】
【課題を解決するための手段】
この発明に係る投写型表示装置は、光を出射する光源と、光源より出射された光を用いて画像を形成する光学部品と、画像を投写する投写光学系と、光学部品を収容する光学部品用筐体と、少なくとも光源、光学部品用筐体及び投写光学系を収容する外装ケースと、冷却ファン本体とこの冷却ファン本体を収容する冷却ファンカバーとを含み外装ケース内の被冷却部を冷却する冷却ファンとを備え、冷却ファンカバーの少なくとも一部が光学部品用筐体と外装ケースの少なくとも一方に一体化されているものである。
【０００８】
また、光学部品はライトバルブを含み、被冷却部がライトバルブであるものである。
【０００９】
また、光を出射する光源と、光源より出射された光を用いて画像を形成する光学部品と、画像を投写する投写光学系と、光源あるいはその他の電気的デバイスを駆動する電源回路と、光源を収容する光源用筐体と、光学部品を収容する光学部品用筐体と、電源回路を収容する電源用筐体と、少なくとも光源用筐体、光学部品用筐体、投写光学系及び電源用筐体を収容する外装ケースと、冷却ファン本体とこの冷却ファン本体を収容する冷却ファンカバーとを含み外装ケース内の被冷却部を冷却する冷却ファンとを備え、冷却ファンカバーの少なくとも一部が、光源用筐体、光学部品用筐体、電源用筐体及び外装ケースのうちの少なくとも１つに一体化されているものである。
【００１０】
また、冷却ファンを駆動するファン駆動回路が、光源あるいはその他の電気的デバイスを駆動する電源回路、所望の画像を表示するために必要な信号処理を行う信号処理回路のいずれかに組み込まれているものである。
【００１１】
また、被冷却部の冷却のために必要な冷却ファンの動作点において、冷却ファンの比騒音がほぼ最小値となるように冷却ファンの形状寸法と回転数の設計がなされているものである。
【００１２】
また、冷却ファンは、遠心ファンであるものである。
【００１３】
さらにまた、冷却ファンのファン翼直径Ｄ、ファン翼厚みＢ及びファン翼回転数Ｎが、それぞれ、下記式３〜式５から求められたものである。
【数４】
2004094100.tif 000003
【数５】
2004094100.tif 000004
【数６】
2004094100.tif 000005
（ここで、φ０及びψ０は、それぞれ、冷却ファンの無次元送風性能から求めた、比騒音が最小値になる流量係数及び圧力係数、Ｐ１及びＱ１は、それぞれ、被冷却部の冷却に必要な冷却風の圧力及び流量、ｎは予め定められたファン翼直径Ｄに対するファン翼厚みＢの比率、ｇは重力加速度、ρは空気の密度である。）
【００１４】
【発明の実施の形態】
実施の形態１．
図１〜図５はこの発明の実施の形態１による投写型表示装置の構造を説明するための図ある。
図１は投写型表示装置の内部構成を説明するための図である。図１において、１及び２は外装カバーであり、意匠上部カバー１と意匠下部カバー２に分離できるように構成されている。３は光源であるランプが収容された光源用筐体、４はランプから出射された光を用いて画像を形成するために必要なレンズやミラーなどの光学部品が収容された光学部品用筐体、５は投写レンズ、６はランプやその他の電気的デバイスを駆動する電源回路が収容された電源用筐体、７は所望の画像を表示するために必要な信号処理回路、８は光源用筐体３内を冷却する冷却ファン、９は電源用筐体６内を冷却する冷却ファンである。
【００１５】
図２は光学部品用筐体４の構造を説明するための図である。図２において、１０は冷却ファンのダクト壁、５０〜５２はライトバルブ、５３は色合成プリズムである。ライトバルブ５０〜５２と色合成プリズム５３も光学部品用筐体内に収容されている。投写レンズ５と色合成プリズム５３により、ライトバルブ５０〜５２で形成された画像を投射して映し出す投写光学系を構成している。
【００１６】
図３は光学部品用筐体４の底面側の構造を示すための図である。図３において、１１はダクトカバー、１２は吸気穴、１３は冷却ファンのファン翼である。
【００１７】
図４は投射型表示装置の冷却ファンの取り付け構造を更に詳しく説明するための展開図である。図４において、１４は冷却ファンのファン翼１３を駆動するための駆動回路基板、１５〜１７は冷却風吹き出し穴である。冷却風吹き出し穴１５〜１７は、冷却ファンによる冷却風により、ライトバルブを効率よく冷却するために、各ライトバルブ５０〜５２に対応する位置に設けられる。
【００１８】
図５は投射型表示装置の冷却ファンの取り付け構造を更に詳しく説明するための図であり、投射型表示装置の要部の断面構造を説明するための図である。図５はファン翼１３の回転中心線を含む垂直平面による断面の構造を示す図である。図５において、６０はファン翼１３の裏面に設置されたモーター回転子、６１は駆動回路基板１４上に設置されたモーター固定子、６２は回転軸、７０はファン翼１３の回転方向、７１〜７４は冷却風の流れ方向である。なお図１〜図５において、同一の符号を付したものは同一またはこれに相当するものである。
【００１９】
次に図５を参照して冷却ファンの取り付け構造について説明する。
冷却ファンは、冷却ファン本体と冷却ファン本体を覆う冷却ファンカバーとから構成される。冷却ファン本体は、ファン翼１３、駆動回路基板１４、モーター回転子６０、モーター固定子６１、回転軸６２とから構成される。冷却ファンカバーは、冷却ファン本体からの冷却風を送るダクト壁１０とダクト壁１０に囲まれた空間（ダクト）を覆うダクトカバー１１とから構成される。ダクト壁１０は光学部品用筐体４の底面に成形などにより一体化して設置される。光学部品用筐体４の底面のダクト壁１０に囲まれた部分は冷却ファンカバーの一部としても機能している。即ち、冷却ファンカバーの一部が光学部品用筐体４に一体化されていると言える。ダクトカバー１１には吸気穴１２が設けられる。
【００２０】
実施の形態１の投写型表示装置において、冷却ファンの取り付けは、光学部品用筐体に一体化されたダクト壁にファン本体を取り付けた後にダクトカバーを取り付けることにより行われる。
【００２１】
次に図５を参照して冷却ファンの動作について説明する。
ファン翼１３は、駆動回路基板１４へ給電線（図示せず）により外部から電力が供給されることにより回転する。ファン翼１３の回転により、吸気穴１２から空気が吸引され（矢印７１）、ファン翼１３の回転軸６２と直交する方向に空気を吐き出し（矢印７２）、冷却風吹き出し穴１６に冷却風を送り込み（矢印７３）、ライトバルブ５１の表面を冷却する（矢印７４）。なお、ファン翼１３の回転にともない、冷却風吹き出し口１５及び１７へも同様に冷却風が送り込まれ、ライトバルブ５０及び５２が冷却される。
【００２２】
以上説明したように本実施の形態によれば、冷却ファンカバーの一部であるダクト壁１０を光学部品用筐体４に一体化するとともに、光学部品用筐体４の底面の一部を冷却ファンカバーの一部として機能させるので、実質的に冷却ファンを構成する部品点数を少なくすることができ、装置の低コスト化と省スペース化を図ることができる。
【００２３】
実施の形態２．
図６はこの発明の実施の形態２による投写型表示装置の冷却ファンの取り付け構造を説明するための展開図である。図６において、１８は冷却ファンカバーである。図６において、図１〜図５と同一の符号を付したものは同一またはこれに相当するものである。
本実施の形態２においては、上述した実施の形態１において、光学部品用筐体側に設置されていたダクト壁１０とダクトカバー１１を成形などにより一体化し、別の部品で構成する。
【００２４】
実施の形態２の投写型表示装置において、冷却ファンの取り付けは、光学部品用筐体４の底面に冷却ファン本体である駆動回路基板、回転軸、モーター固定子、モーター回転子及びファン翼を組み付けた後に、ダクト壁とダクトカバーとが一体化された冷却ファンカバー１８を取り付けることにより行われる。
なお、動作については実施の形態１と基本的に同じであるので、ここでは説明を省略する。
【００２５】
実施の形態２においては、光学部品用筐体４の底面の冷却ファンカバー１８で覆われる部分（図６中の破線２６で囲まれた部分）を、冷却ファンカバーの一部として機能させることができる。即ち、冷却ファンカバーの一部が光学部品用筐体４に一体化されていると言える。したがって、従来のように、市販の冷却ファンを購入して光学部品用筐体の底面に取り付ける場合に、この底面に接するように設けられる冷却ファンカバーを構成する裏面側カバーを不要にすることができので、部品点数を削減でき、低コスト化が図れるとともに、冷却ファンを薄くすることができ、省スペース化を図ることができる。
【００２６】
また、実施の形態２においては、光学部品用筐体に冷却ファン本体を組み付けた後にダクト壁及びダクトカバーを組み付けるように構成されるので、駆動回路基板、ファン翼などから構成される冷却ファン本体の組み付けを容易に行うことができる利点がある。
【００２７】
実施の形態３．
図７はこの発明の実施の形態３による投写型表示装置の冷却ファンの取り付け構造を説明するための展開図である。図７において、１９は外装ケースとしての意匠下部カバー、２０はダクト壁、２１は吸気穴である。図７において、図１〜図６と同一の符号を付したものは同一またはこれに相当するものである。
【００２８】
本実施の形態においては、ダクト壁２０は意匠下部カバー１９の内側の面に成形などにより一体化されている。
実施の形態３においては、冷却ファンカバーは、光学部品用筐体４の底面（図７中の破線２６で囲まれた部分）と、ダクト壁２０と、意匠下部カバー１９のダクト壁２０により囲まれる部分（（図７中の破線２７で囲まれた部分）とにより構成される。
【００２９】
実施の形態３の投写型表示装置において、冷却ファンの取り付けは、光学部品用筐体の底面に冷却ファン本体である駆動回路基板、回転軸、モーター固定子、モーター回転子及びファン翼を組み付けた後に、ダクト壁２０が一体化された意匠下部カバー１９を取り付けることにより行われる。
なお、動作については実施の形態１と基本的に同じであるので、ここでは説明を省略する。
【００３０】
以上説明したように、本実施の形態によれば、光学部品用筐体４に冷却ファン本体を組み付けた後にダクト壁２０が一体化された意匠下部カバー１９を組み付けるように構成されるので、駆動回路基板、ファン翼などから構成される冷却ファン本体の組み付けを容易に行うことができる利点がある。また、光学部品用筐体の底面のダクト壁２０で囲まれる部分（図７中の破線２６で囲まれた部分）に加えて、意匠下部カバー１９のダクト壁２０で囲まれる部分（図７中の破線２７で囲まれた部分）も冷却ファンカバーの一部として機能させることができる。
即ち、冷却ファンカバーの一部が光学部品用筐体４に一体化され、更に外装カバーにも一体化されている言える。したがって、光学部品用筐体の底面に接するように設けられる冷却ファンカバーを構成する裏面側カバーに加えて、表面側カバー（実施の形態１のダクトカバー１１に相当する部品）も削除できるので、更に低コスト化を図ることができる。
【００３１】
実施の形態４．
図８はこの発明の実施の形態４による投写型表示装置の冷却ファンの取り付け構造を説明するための展開図である。図８において、２２はモーター固定子基板、２３はケーブル、２４は信号処理回路、２５はファン駆動回路である。図８において、図１〜図７と同一の符号を付したものは同一またはこれに相当するものである。
【００３２】
この実施の形態４が実施の形態２と相違する点は、冷却ファンのファン翼を駆動するファン駆動回路が、所望の画像を表示するために必要な信号処理を行う信号処理回路２４に組み込まれている点である。
本実施の形態においては、実施の形態１〜３における駆動回路基板１４が、ファン駆動回路２５とモーター固定子基板２２に分離されて、ファン駆動回路２５が信号処理回路２４の一部として組み込まれている。ファン駆動回路２５とモーター固定子基板２２とは、ケーブル２３により接続されている。
なお、動作については実施の形態１と基本的に同じであるのでここでは説明を省略する。
【００３３】
以上説明したように、本実施の形態によれば、ファン駆動回路を信号処理回路の一部として組み込むこととしたので、製造コストの低減と、回路故障時のメンテナンス性がよくなるという利点がある。
【００３４】
なお以上説明した実施の形態４は、冷却ファンカバーの構造が実施の形態２と同一の構成であるが、これに限定されるものではなくその他の実施の形態に示された冷却ファンカバーの構造との組み合わせでもよいことは言うまでもない。
【００３５】
また、実施の形態４は、ファン駆動回路を信号処理回路に組み込むものであるが、これに限定されるものではなく、ファン駆動回路を電源回路に組み込むものであってもよい。
【００３６】
また以上説明した実施の形態１〜４では、ファン翼、ダクトカバーなど冷却ファンとして機能する部品類の設置位置が光学部品用筐体の底面に限定して説明したが、この位置に限定されるものではなく他の場所であってもよいことは言うまでもない。
【００３７】
実施の形態５．
実施の形態５の投射型表示装置は、前記実施の形態１乃至４の投射型表示装置において、装置を冷却するために必要なファンの動作点（風量、圧力）における、そのファンの比騒音が最小値となるようにファンの形状寸法と回転数を設計したものである。例えば、冷却ファンが遠心ファンである場合、以下に説明するような計算方法により算出される値に設定する。
【００３８】
図９は、遠心ファンの無次元送風性能図であり、その（ａ）は比騒音Ｌｓの流量係数φ依存性、その（ｂ）は圧力係数ψの流量係数φ依存性を表す図である。図９（ａ）において流量係数がφ０のとき、比騒音Ｌｓが最小となる。このときの圧力係数はψ０である。なお流量係数φ、圧力係数ψの定義式は、（式１）及び（式２）に示すとおりである。
【００３９】
【数７】
2004094100.tif 000006
【数８】
2004094100.tif 000007
【００４０】
ただし、Ｄはファン翼直径［ｍ］、Ｂはファン翼厚み［ｍ］、Ｎは回転数［ｒｐｍ］、ｇは重力加速度［ｍ／ｓ２］、ρは空気の密度［ｋｇ／ｍ３］、Ｐは圧力［Ｐａ］、Ｑは流量［ｍ３／分］である。図１０にファン翼直径Ｄ及びファン翼厚みＢの定義を示す。図１０（ｂ）は、ファン翼１３の平面図、図１０（ａ）は、ファン翼１３のＡ−Ａ線断面図である。
【００４１】
装置の冷却に必要な圧力Ｐ１と流量Ｑ１において、前記流量係数φ及び圧力係数ψが、前記φ０、ψ０となるようにファンの形状寸法、回転数を決定すれば、ファン騒音を最も小さくすることができる。具体的には、冷却ファンの無次元送風性能図から求めた比騒音が最小値になる流量係数φ０及び圧力係数ψ０と、被冷却部の冷却に必要な冷却風の圧力Ｐ１及び流量Ｑ１とを用いて、ファン翼の直径Ｄ、ファン厚みＢ、ファン翼回転数Ｎを、下記（式３）〜（式５）により求める。
【００４２】
【数９】
2004094100.tif 000008
【数１０】
2004094100.tif 000009
【数１１】
2004094100.tif 000010
【００４３】
ただし、ｎは予め決められたファン翼直径Ｄとファン厚みＢの比率（以下、翼径翼厚比と呼ぶ）、Ｐ１は装置の冷却に必要なファンの圧力［Ｐａ］、Ｑ１は装置の冷却に必要なファンの風量［ｍ３／分］、φ０は比騒音が最小値となる流量係数、ψ０は比騒音が最小値となる圧力係数である。
【００４４】
冷却ファンの形状寸法と回転数を、以上の計算式により算出される値に設定すると、図９（ａ）に示す比騒音が最小となる動作点と、装置の冷却に必要な動作点を一致させることができ、ファン騒音（ファンの風切り音）を最小化することができ、装置の静音化が図れる。
【００４５】
以下に、具体的な数値を適用して更に詳しく説明する。図１１は、投写型表示装置の冷却に用いられる、外形寸法（長さ及び幅）が約１５０ｍｍ以下の小型遠心ファンの無次元送風性能の一例である。今、冷却に必要な動作点を、静圧Ｐ１＝６０［Ｐａ］、風量Ｑ１＝０．３［ｍ３／分］と仮定し、翼径翼厚比ｎ＝０．５とする。図１１より、流量係数φ及び圧力係数ψが、φ０＝０．１、ψ０＝０．１８のとき比騒音が最小となるので、（式３）〜（式５）より、（式６）〜（式８）のようにファン翼直径Ｄ、ファン翼厚みＢ、ファン翼回転数Ｎが得られる。なお簡略のため、空気の密度ρは、ρ＝１．２［ｋｇ／ｍ３］としたが、より厳密には、温度、気圧に応じた補正値を用いる。
【００４６】
【数１２】
2004094100.tif 000011
【数１３】
2004094100.tif 000012
【数１４】
2004094100.tif 000013
【００４７】
（式６）〜（式８）より、ファン翼直径６５ｍｍ、ファン翼厚み３２．５ｍｍの遠心ファンを装置に設置し、毎分２２１２回転で運転すれば、装置の効率的冷却と静音化が同時に達成できるのである。
【００４８】
もう一例として、より静圧の大きいファン、すなわち、より大きな冷却風速が得られる遠心ファンの場合の設計例を示す。
今、冷却に必要な動作点を、静圧Ｐ１＝１００［Ｐａ］、風量Ｑ１＝０．３［ｍ３／分］と仮定し、翼径翼厚比ｎ＝０．５とする。図１１より、流量係数φ及び圧力係数ψが、φ０＝０．１、ψ０＝０．１８のとき比騒音が最小となるので、（式３）〜（式５）より、（式９）〜（式１１）のようにファン翼直径Ｄ、ファン翼厚みＢ、ファン翼回転数Ｎが得られる。なお簡略のため、空気の密度ρは、ρ＝１．２［ｋｇ／ｍ３］としたが、より厳密には、温度、気圧に応じた補正値を用いる。
【００４９】
【数１５】
2004094100.tif 000014
【数１６】
2004094100.tif 000015
【数１７】
2004094100.tif 000016
【００５０】
（式９）〜（式１１）より、ファン翼直径５７ｍｍ、ファン翼厚み２８．５ｍｍの遠心ファンを装置に設置し、毎分３２５７回転で運転すれば、より早い冷却風速が得られ、装置の更なる冷却効率向上と静音化が同時に達成できるのである。
【００５１】
なお以上説明した実施の形態５では、設計目標として比騒音がちょうど最小になる流量係数、圧力係数を用いたが、これに限定されるものではなく、比騒音がおよそ最小値近傍となるような流量係数、圧力係数であっても、ほぼ同じような効果がある（ファン騒音値は最小値からあまり変化しない）。ここで比騒音の最小値近傍とは、比騒音が最小となる流量係数をφ０としたとき、流量係数φが、（式１２）の範囲（最小値に対し±５０％の範囲）、より好ましくは（式１３）の範囲（最小値に対し±２５％）の範囲の値となる場合である。
【００５２】
【数１８】
2004094100.tif 000017
【００５３】
【数１９】
2004094100.tif 000018
【００５４】
また、以上説明した実施の形態１〜５では、冷却ファンとして遠心ファンを用いるものについて説明したが、特にこれに限定されるものではなく軸流ファンあってもよい。ただし、遠心ファンとした方が、冷却風速を大きくすることができ、冷却効率の向上が図れるという利点がある。
【００５５】
また、上述した実施の形態１〜５においては、ライトバルブを冷却するための冷却ファンについて説明したが、電源用筐体内を冷却する冷却ファン或いは光源用筐体内を冷却する冷却ファンについても同様に冷却ファンの冷却ファンケースの一部を電源用筐体、光源用筐体及び外装ケースのいずれかに一体化することにより上記と同様の効果が得られる。
【００５６】
【発明の効果】
以上のように本発明によれば、冷却ファンカバーの少なくとも一部が光学部品用筐体と外装ケースの少なくとも一方に一体化されているので、冷却ファンを構成する部品点数を少なくすることができ、コストの低減を図ることができる。
【００５７】
また、光学部品はライトバルブを含み、被冷却部がライトバルブである場合においても、冷却ファンを構成する部品点数を少なくすることができ、コストの低減を図ることができる。
【００５８】
また、冷却ファンカバーの少なくとも一部が、光源用筐体、光学部品用筐体、電源用筐体及び外装ケースのうちの少なくとも１つに一体化されているので、冷却ファンを構成する部品点数を少なくすることができ、コストの低減を図ることができる。
【００５９】
また、冷却ファンの駆動回路が、信号処理回路と電源回路の少なくとも一方に組み込まれるので、製造コストの低減と、回路故障時のメンテナンス性の改善を図ることができる。
【００６０】
また、被冷却部の冷却のために必要な冷却ファンの動作点において、冷却ファンの比騒音がほぼ最小値となるように冷却ファンの形状寸法と回転数の設計がなされているので、装置の静音化を図ることができる。
【００６１】
また、冷却ファンは遠心ファンであるので、大きい冷却風速を得ることができ、冷却効率を向上することができる。
【００６２】
さらにまた、遠心ファンのファン翼直径、ファン翼厚み及びファン翼回転数が、それぞれ、上記式３〜式５から求められるので、装置の静音化を確実に行うことができる。
【図面の簡単な説明】
【図１】この発明の実施の形態１による投写型表示装置の構成を説明するための図である。
【図２】この発明の実施の形態１による投写型表示装置の光学部品用筐体の構造を説明するための図である。
【図３】この発明の実施の形態１による投写型表示装置の光学部品用筐体の底面側の構造を説明するための図である。
【図４】この発明の実施の形態１による投射型表示装置の冷却ファンの取り付け構造を説明するための展開図である。
【図５】この発明の実施の形態１による投写型表示装置の冷却ファンの取り付け構造を説明するための図であり、投射型表示装置の要部の断面構造を説明するための図である。
【図６】この発明の実施の形態２による投射型表示装置の冷却ファンの取り付け構造を説明するための展開図である。
【図７】この発明の実施の形態３による投射型表示装置の冷却ファンの取り付け構造を説明するための展開図である。
【図８】この発明の実施の形態３による投射型表示装置の冷却ファンの取り付け構造を説明するための展開図である。
【図９】この発明の実施の形態５による投射型表示装置の冷却ファンの無次元送風性能を示す図である。
【図１０】この発明の実施の形態５による投写型表示装置に用いる冷却ファンのファン翼の寸法の定義を説明するための図であり、その（ａ）はファン翼の断面図、その（ｂ）はファン翼の平面図である。
【図１１】この発明の実施の形態５による投射型表示装置の冷却ファンの無次元送風性能を示す図である。
【符号の説明】
１　意匠上部ケース（外装ケース）、２，１９　意匠下部ケース（外装ケース）、３　光源用筐体、４　光学部品用筐体、１０　ダクト壁（冷却ファンカバー）、１１　ダクトカバー（冷却ファンカバー）、１８　冷却ファンカバー、２０ダクト壁（冷却ファンカバー）、７，２４　信号処理回路、２５　ファン駆動回路。
【図１】
2004094100.tif 000022
【図２】
2004094100.tif 000023
【図３】
2004094100.tif 000024
【図４】
2004094100.tif 000025
【図５】
2004094100.tif 000026
【図６】
2004094100.tif 000027
【図７】
2004094100.tif 000028
【図８】
2004094100.tif 000029
【図９】
2004094100.tif 000030
【図１０】
2004094100.tif 000031
【図１１】
2004094100.tif 000032